【手続補正書】
【提出日】平成16年10月7日(2004.10.7)
【手続補正１】
【補正対象書類名】特許請求の範囲
【補正対象項目名】全文
【補正方法】変更
【補正の内容】
【特許請求の範囲】
【請求項１】
各ころの端面と軸方向で対向する１個の環状部と、その環状部の軸方向片側又は両側から突出し且つ各ころの転動面と対向して周方向に並ぶ複数の柱部とを有するくし形のころ軸受用保持器の設計方法において、
柱部の長さ方向に平行な中立軸に対する上記環状部の断面二次モーメントをＩ1’、保持器の円周方向に平行な中立軸に対する上記柱部の断面二次モーメントをＩ3’としたときに、
（Ｉ1 ’／Ｉ3’）を最適設計することを特徴とするころ軸受用保持器の設計方法。
【請求項２】
上記環状部の軸方向片側のみから柱部が突出する保持器であって、複列円筒ころ軸受に組み込まれるころ軸受用保持器の設計方法において、
０．３≦（Ｉ1 ’／Ｉ3’）≦１．１の条件を満足することを特徴とする請求項１に記載のころ軸受用保持器の設計方法。
【請求項３】
上記環状部の軸方向両側から柱部が突出する保持器であって、複列円筒ころ軸受に組み込まれるころ軸受用保持器の設計方法において、
０．３≦（Ｉ1 ’／Ｉ3’）≦０．９の条件を満足することを特徴とする請求項１に記載のころ軸受用保持器の設計方法。
【請求項４】
上記環状部の軸方向片側のみから柱部が突出する保持器であって、自動調心ころ軸受に組み込まれるころ軸受用保持器の設計方法において、
０．３≦（Ｉ1 ’／Ｉ3’）≦２．５の条件を満足することを特徴とする請求項１に記載のころ軸受用保持器の設計方法。
【請求項５】
上記環状部の軸方向両側から柱部が突出する保持器であって、自動調心ころ軸受に組み込まれるころ軸受用保持器の設計方法において、
０．２≦（Ｉ1 ’／Ｉ3’）≦１．０の条件を満足することを特徴とする請求項１に記載のころ軸受用保持器の設計方法。
【請求項６】
各ころの端面と軸方向で対向する１個の環状部と、その環状部の軸方向片側又は両側から突出し且つ各ころの転動面と対向して周方向に並ぶ複数の柱部とを有するくし形のころ軸受用保持器の設計方法において、
柱部の長さ方向に垂直な中立軸に対する上記環状部の断面二次モーメントをＩ1、保持器の円周方向に垂直な中立軸に対する上記柱部の断面二次モーメントをＩ3としたときに、
（Ｉ1 ／Ｉ3）を最適設計することを特徴とするころ軸受用保持器の設計方法。
【請求項７】
上記環状部の軸方向片側のみから柱部が突出する保持器であって、複列円筒ころ軸受に組み込まれるころ軸受用保持器の設計方法において、
０．３≦（Ｉ1 ／Ｉ3）≦０．９の条件を満足することを特徴とする請求項６に記載のころ軸受用保持器の設計方法。
【請求項８】
上記環状部の軸方向両側から柱部が突出する保持器であって、複列円筒ころ軸受に組み込まれるころ軸受用保持器の設計方法において、
０．７≦（Ｉ1 ／Ｉ3）≦１．６の条件を満足することを特徴とする請求項６に記載のころ軸受用保持器の設計方法。
【請求項９】
上記環状部の軸方向片側のみから柱部が突出する保持器であって、自動調心ころ軸受に組み込まれるころ軸受用保持器の設計方法において、
０．５≦（Ｉ1 ／Ｉ3）≦１．５の条件を満足することを特徴とする請求項６に記載のころ軸受用保持器の設計方法。
【請求項１０】
上記環状部の軸方向両側から柱部が突出する保持器であって、自動調心ころ軸受に組み込まれるころ軸受用保持器の設計方法において、
０．３≦（Ｉ1 ／Ｉ3）≦１．０の条件を満足することを特徴とする請求項６に記載のころ軸受用保持器の設計方法。
【請求項１１】
柱部の長さ方向に垂直な中立軸に対する上記環状部の断面二次モーメントをＩ1、保持器の円周方向に垂直な中立軸に対する上記柱部の断面二次モーメントをＩ3としたときに、
（Ｉ1 ／Ｉ3）を最適設計することを特徴とする請求項１に記載のころ軸受用保持器の設計方法。
【請求項１２】
柱部の長さ方向に垂直な中立軸に対する上記環状部の断面二次モーメントをＩ1、保持器の円周方向に垂直な中立軸に対する上記柱部の断面二次モーメントをＩ3としたときに、
０．３≦（Ｉ1 ／Ｉ3）≦０．９の条件を満足することを特徴とする請求項２に記載のころ軸受用保持器の設計方法。
【請求項１３】
柱部の長さ方向に垂直な中立軸に対する上記環状部の断面二次モーメントをＩ1、保持器の円周方向に垂直な中立軸に対する上記柱部の断面二次モーメントをＩ3としたときに、
０．７≦（Ｉ1 ／Ｉ3）≦１．６の条件を満足することを特徴とする請求項３に記載のころ軸受用保持器の設計方法。
【請求項１４】
柱部の長さ方向に垂直な中立軸に対する上記環状部の断面二次モーメントをＩ1、保持器の円周方向に垂直な中立軸に対する上記柱部の断面二次モーメントをＩ3としたときに、
０．５≦（Ｉ1 ／Ｉ3）≦１．５の条件を満足することを特徴とする請求項４に記載のころ軸受用保持器の設計方法。
【請求項１５】
柱部の長さ方向に垂直な中立軸に対する上記環状部の断面二次モーメントをＩ1、保持器の円周方向に垂直な中立軸に対する上記柱部の断面二次モーメントをＩ3としたときに、
０．３≦（Ｉ1 ／Ｉ3）≦１．０の条件を満足することを特徴とする請求項５に記載のころ軸受用保持器の設計方法。
【手続補正２】
【補正対象書類名】明細書
【補正対象項目名】発明の名称
【補正方法】変更
【補正の内容】
【発明の名称】複列ころ軸受用保持器の設計方法
【手続補正３】
【補正対象書類名】明細書
【補正対象項目名】０００１
【補正方法】変更
【補正の内容】
【０００１】
本発明は、鉄道車両の車軸や振動篩等のように、大きな振動を伴う位置で用いられるころ軸受、つまり少なくとも軸受ラジアル方向の振動を繰り返し受けるような箇所で使用されるころ軸受に係り、特にそのころ軸受に組み込まれるくし形の保持器の設計方法に関する。
【手続補正４】
【補正対象書類名】明細書
【補正対象項目名】００１９
【補正方法】変更
【補正の内容】
【００１９】
特に、ラジアル方向の荷重Ｗ’と円周方向からの荷重Ｗとの両荷重による合成荷重に対して強度を高めようとすると、断面二次モーメントＩ1 ’、Ｉ3 ’、及び断面二次モーメントＩ1 、Ｉ3 の全てについて大きくしようとする結果、更に上記問題が顕在化する。
本発明は、このような問題点に着目してなされたもので、保持器を組み込む軸受の負荷能力を低下させることなく、保持器の強度を向上させることが可能なころ軸受用保持器の設計方法の提供を課題とする。
【手続補正５】
【補正対象書類名】明細書
【補正対象項目名】００２１
【補正方法】変更
【補正の内容】
【００２１】
すなわち、上記課題を解決するために、本願発明は、各ころの端面と軸方向で対向する１個の環状部と、その環状部の軸方向片側又は両側から突出し且つ各ころの転動面と対向して周方向に並ぶ複数の柱部とを有するくし形のころ軸受用保持器の設計方法において、
柱部の長さ方向に平行な中立軸に対する上記環状部の断面二次モーメントをＩ1 ’、保持器の円周方向に平行な中立軸に対する上記柱部の断面二次モーメントをＩ3 ’としたときに、
（Ｉ1 ’／Ｉ3 ’）を最適設計することを特徴とするころ軸受用保持器の設計方法を提供するものである。
本発明では、ころから作用する荷重方向を考慮しつつ保持器の形式に応じて、各環状部の曲げ応力、及び柱部の曲げ応力が互いに大きく異ならないように設計されるため、軸受の負荷能力を低下させることなく保持器の強度が向上する。